(57)【要約】      （修正有）【課題】筋肉の長さ及び張力を調整するとともに、筋肉を固定する筋肉移植手術用の測定固定器を提供する。【解決手段】筋肉移植手術用の測定固定器は、本体装置１０、調整装置２０及び固定装置３０を備える。本体装置１０は本体アームを備える。調整装置２０は、本体アームの一端に固定して設けられ且つ垂直方向に沿って上向に延在している第１横アーム２１と、本体アームの延在方向に沿って本体アームに摺動可能に接続される調整アーム２２と、を備え、第１横アーム２１は筋肉の一端を固定し、調整アーム２２は筋肉の他端を固定する。固定装置３０は調整アーム２２に設けられ、調整アーム２２を本体アームに固定する。第１横アーム２１及び調整アーム２２が設けられることで、筋肉を固定できるとともに、調整アーム２２を駆動することで、筋肉を移植標準に合わせるように、筋肉の長さ及び張力を調整することができる。【選択図】図１
0003228195.tif 000002
【実用新案登録請求の範囲】
【請求項１】
本体装置（１０）、調整装置（２０）及び固定装置（３０）を備え、
前記本体装置（１０）は水平方向に沿って直線的に延在している本体アーム（１１）を備え、
前記調整装置（２０）は、前記本体アーム（１１）の一端に固定して設けられ且つ垂直方向に沿って上向きに延在している第１横アーム（２１）と、前記本体アーム（１１）の延在方向に沿って前記本体アーム（１１）に摺動可能に接続される調整アーム（２２）と、を備え、前記第１横アーム（２１）は筋肉の一端を固定し、前記調整アーム（２２）は筋肉の他端を固定し、
前記固定装置（３０）は、前記調整アーム（２２）に設けられ、前記調整アーム（２２）を前記本体アーム（１１）に固定することを特徴とする、
筋肉移植手術用の測定固定器。
【請求項２】
前記調整アーム（２２）は、前記本体アーム（１１）の延在方向に沿って前記本体アーム（１１）に摺動可能に接続される摺動ブロック（２２１）と、垂直方向に沿って前記摺動ブロック（２２１）に固定して設けられる第２横アーム（２２２）と、を備えることを特徴とする、
請求項１に記載の筋肉移植手術用の測定固定器。
【請求項３】
前記本体アーム（１１）内に、前記本体アーム（１１）の延在方向に沿って収納溝（ａ）が開設され、前記本体装置（１０）は、前記収納溝（ａ）内に設けられ、前記収納溝（ａ）の開設方向に沿って延在している摺動棒（１２）をさらに備え、前記摺動棒（１２）の両端が前記本体アーム（１１）に固定され、
前記摺動ブロック（２２１）には、前記本体アーム（１１）に摺動可能に接続される第１摺動溝（ｂ）、及び前記摺動棒（１２）に摺動可能に接続される第２摺動溝（ｃ）が設けられることを特徴とする、
請求項２に記載の筋肉移植手術用の測定固定器。
【請求項４】
前記摺動棒（１２）には、前記摺動棒（１２）の軸線方向に沿ってねじ山が設けられ、前記調整アーム（２２）は、前記摺動棒（１２）に螺合され且つ前記第１横アーム（２１）と前記第２横アーム（２２２）との間に位置する調整ナット（２２３）をさらに備えることを特徴とする、
請求項３に記載の筋肉移植手術用の測定固定器。
【請求項５】
前記本体装置（１０）は、前記本体アーム（１１）に設けられ且つ前記本体アーム（１１）の延伸方向に沿って延在している目盛（１３）をさらに備えることを特徴とする、
請求項１から４のいずれか一項に記載の筋肉移植手術用の測定固定器。
【請求項６】
前記固定装置（３０）は、前記摺動ブロック（２２１）に螺合され前記摺動ブロック（２２１）を貫通して前記摺動棒（１２）の側壁に当接される調整ねじを備えることを特徴とする、
請求項５に記載の筋肉移植手術用の測定固定器。
【請求項７】
前記第１横アーム（２１）は、第１挟持板（２１１）、第２挟持板（２１２）及び第１ねじりばね（２１３）を備え、前記第１挟持板（２１１）は前記本体アーム（１１）に固定され且つ垂直方向に沿って延在し、前記第２挟持板（２１２）は垂直方向に沿って延在し且つ前記第１挟持板（２１１）に枢接され、前記第１ねじりばね（２１３）は前記第１挟持板（２１１）と前記第２挟持板（２１２）との間に設けられ、一端が前記第１挟持板（２１１）に固定され、他端が前記第２挟持板（２１２）に固定され、
前記第２横アーム（２２２）は、第３挟持板（２２２１）、第４挟持板（２２２２）及び第２ねじりばね（２２２３）を備え、前記第３挟持板（２２２１）は前記摺動ブロック（２２１）に固定され且つ垂直方向に沿って延在し、前記第４挟持板（２２２２）は垂直方向に沿って延在し且つ前記第３挟持板（２２２１）に枢接され、前記第２ねじりばね（２２２３）は前記第３挟持板（２２２１）と前記第４挟持板（２２２２）との間に設けられ、一端が前記第３挟持板（２２２１）に固定され、他端が前記第４挟持板（２２２２）に固定されることを特徴とする、
請求項６に記載の筋肉移植手術用の測定固定器。
【請求項８】
前記第１挟持板（２１１）、前記第４挟持板（２２２２）の背向側は対向側に向けて凹んだ弧面として設けられ、前記第２挟持板（２１２）、前記第３挟持板（２２２１）の背向側は対向側に向けて凹んだ弧面として設けられることを特徴とする、
請求項７に記載の筋肉移植手術用の測定固定器。
【請求項９】
前記第１挟持板（２１１）、前記第２挟持板（２１２）、前記第３挟持板（２２２１）及び前記第４挟持板（２２２２）にいくつかのコラム（４０）が設けられることを特徴とする、
請求項８に記載の筋肉移植手術用の測定固定器。
【考案の詳細な説明】
【技術分野】
【０００１】
本考案は筋肉移植の技術分野に関し、具体的には筋肉移植手術用の測定固定器に関する。
【背景技術】
【０００２】
機能的な小筋肉の移植によって四肢の機能を再構築することは近年、人気のある手術技術となっており、身体障害のある患者の活動機能を再構築するための信頼できる手段である。小筋肉移植手術では、筋肉の長さ及び張力の調整は手術の難問である。移植されたた筋肉の長さが長すぎ、筋肉の張力が小さいと、術後、筋力が弱くなり、四肢の活動範囲が限られ、移植された筋肉の長さが短すぎ、筋肉の張力が大きいと、筋肉の血液供給に影響を与え、移植さたれ筋肉の壊死を引き起こす恐れがある。移植された筋肉の長さ及び筋肉の張力を適切かつ正確に調整することは、移植された筋肉の生存と四肢の機能の再構築の鍵となる。
【０００３】
しかしながら、従来技術では、医師は鋼製定規を用いて測定し、且つ経験に基づいて移植される筋肉の長さ及び張力を調整することが一般である。誤差は大きく、移植された筋肉は移植標準を満たさないことがよくある。
【０００４】
したがって、筋肉の長さ及び張力を調整するとともに、筋肉を固定することができる装置は望まれている。
【考案の概要】
【考案が解決しようとする課題】
【０００５】
本考案の目的は、従来技術の欠陥と欠陥に対して、筋肉の長さ及び張力を調整するとともに、筋肉を固定するというメリットを有する筋肉移植手術用の測定固定器を提供することである。
【課題を解決するための手段】
【０００６】
上記目的を達成するために、本考案は、下記技術案を提供する。
【０００７】
筋肉移植手術用の測定固定器は、本体装置、調整装置及び固定装置を備え、
前記本体装置は水平方向に沿って直線的に延在している本体アームを備え、
前記調整装置は、本体アームの一端に固定して設けられ且つ垂直方向に沿って上向きに延在している第１横アームと、本体アームの延在方向に沿って本体アームに摺動可能に接続される調整アームと、を備え、前記第１横アームは筋肉の一端を固定し、前記調整アームは筋肉の他端を固定し、
前記固定装置は調整アームに設けられ、調整アームを本体アームに固定する。
【０００８】
好ましくは、前記調整アームは、本体アームの延在方向に沿って本体アームに摺動可能に接続される摺動ブロックと、垂直方向に沿って摺動ブロックに固定して設けられる第２横アームと、を備える。
【０００９】
好ましくは、前記本体アーム内に、本体アームの延在方向に沿って収納溝が開設され、前記本体装置は、収納溝内に設けられ収納溝の開設方向に沿って延在している摺動棒をさらに備え、前記摺動棒の両端が本体アームに固定され、
前記摺動ブロックには、本体アームに摺動可能に接続される第１摺動溝、及び摺動棒に摺動可能に接続される第２摺動溝が設けられる。
【００１０】
好ましくは、前記摺動棒には、摺動棒の軸線方向に沿ってねじ山が設けられ、前記調整アームは、摺動棒に螺合され且つ第１横アームと第２横アームとの間に位置する調整ナットをさらに備える。
【００１１】
好ましくは、前記本体装置は、本体アームに設けられ且つ本体アームの延伸方向に沿って延在している目盛をさらに備える。
【００１２】
好ましくは、前記固定装置は、摺動ブロックに螺合され摺動ブロックを貫通して摺動棒の側壁に当接される調整ねじを備える。
【００１３】
好ましくは、前記第１横アームは第１挟持板、第２挟持板及び第１ねじりばねを備え、前記第１挟持板は本体アームに固定され且つ垂直方向に沿って延在し、前記第２挟持板は垂直方向に沿って延在し且つ第１挟持板に枢接され、前記第１ねじりばねは第１挟持板と第２挟持板との間に設けられ、一端が第１挟持板に固定され、他端が第２挟持板に固定され、
前記第２横アームは第３挟持板、第４挟持板及び第２ねじりばねを備え、前記第３挟持板は摺動ブロックに固定され且つ垂直方向に沿って延在し、前記第４挟持板は垂直方向に沿って延在し且つ第３挟持板に枢接され、前記第２ねじりばねは第３挟持板と第４挟持板との間に設けられ、一端が第３挟持板に固定され、他端が第４挟持板に固定される。
【００１４】
好ましくは、前記第１挟持板、第４挟持板の背向側は対向側に向けて凹んだ弧面として設けられ、前記第２挟持板、第３挟持板の背向側は対向側に向けて凹んだ弧面として設けられる。
【００１５】
好ましくは、前記第１挟持板、第２挟持板、第３挟持板及び第４挟持板にいくつかのコラムが設けられる。
【考案の効果】
【００１６】
上記技術案を採用すると、本考案の有益な効果は、以下のとおりである。
【００１７】
本実施例は、第１横アーム及び調整アームが設けられることで、筋肉を固定できるとともに、調整アームを駆動することで、筋肉を移植標準に合わせるように、筋肉の長さ及び張力を調整することができる。また、固定装置が設けられることで、調整アームを指定位置まで駆動する時、調整アームを固定し、調整アームの再移動を回避して筋肉の長さ及び張力を維持することができる。
【図面の簡単な説明】
【００１８】
本考案の実施例又は従来技術における技術案をより明らかに説明するために、以下、実施例又は従来技術の説明に必要な図面を簡単に説明する。明らかなように、以下に説明する図面は本考案の一部の実施例に過ぎず、当業者にとっては、創造的な労働がない前提で、これらの図面に基づいて他の図面を得ることができる。
【図１】本考案の構造模式図である。
【図２】本考案の分解構造模式図である。
【図３】本考案の第１横アームの分解構造模式図である。
【図４】本考案の調整装置及び固定装置の分解構造模式図である。
【図５】本考案の第２横アームの分解構造模式図である。
【考案を実施するための形態】
【００１９】
以下、図面を参照しながら本考案をさらに詳細説明する。
【００２０】
本特定実施例は単に本考案を説明するためのものであり、本考案を限定するものではなく、当業者は本明細書を読んだ上で、必要に応じて本実施例に対して創造性のない変更を行うことができ、本考案の特許請求の範囲に属する限り、実用新案法の保護対象となる。
【００２１】
図１−５に示すように、本考案は筋肉移植手術用の測定固定器に関し、本体装置１０、調整装置２０及び固定装置３０を備える。本体装置１０は、水平方向に沿って直線的に延在している本体アーム１１を備える。調整装置２０は、本体アーム１１の一端に固定して設けられ且つ垂直方向に沿って上向きに延在している第１横アーム２１と、本体アーム１１の延在方向に沿って本体アーム１１に摺動可能に接続される調整アーム２２と、を備え、第１横アーム２１は筋肉の一端を固定し、調整アーム２２は筋肉の他端を固定する。固定装置３０は調整アーム２２に設けられ、調整アーム２２を本体アーム１１に固定する。以上の構造によれば、筋肉移植時、まず、本体アーム１１をテーブルに水平にセットし、次に、筋肉の一端を第１横アーム２１に固定し、筋肉の他端を調整アーム２２に固定し、調整アーム２２が本体アーム１１に摺動可能に接続されるという特徴を利用し、調整アーム２２を第１横アーム２１から離間する一側へ移動駆動し、それによって筋肉の長さ及び張力を調整し、調整アーム２２が指定位置まで移動すると、固定装置３０によって調整アーム２２を本体アーム１１に固定し、それによって調整アーム２２の再移動を防止する。最後に、本実施例の筋肉移植手術用の測定固定器全体を手術領域にセットすることで、移植される筋肉の両端を簡単に再構築できる。これに基づいて、第１横アーム２１及び調整アーム２２が設けられることで、筋肉を固定できるとともに、調整アーム２２を駆動することで、筋肉を移植標準に合わせるように、筋肉の長さ及び張力を調整することができる。また、固定装置３０が設けられることで、調整アーム２２を指定位置に駆動する時、調整アーム２２を固定し、調整アーム２２の再移動を回避して筋肉の長さ及び張力を維持することができる。
【００２２】
調整アーム２２を簡単に駆動できるために、好ましくは、本実施例の調整アーム２２は、本体アーム１１の延在方向に沿って本体アーム１１に摺動可能に接続される摺動ブロック２２１と、垂直方向に沿って摺動ブロック２２１に固定して設けられる第２横アーム２２２と、を備える。
【００２３】
第２横アーム２２２の移動中の安定性を高めるために、本実施例の本体アーム１１内に、本体アーム１１の延在方向に沿って収納溝ａが開設され、本体装置１０は、収納溝ａ内に設けられ且つ収納溝ａの開設方向に沿って延在している摺動棒１２をさらに備え、摺動棒１２の両端が本体アーム１１に固定される。摺動ブロック２２１には、本体アーム１１に摺動可能に接続される第１摺動溝ｂ、及び摺動棒１２に摺動可能に接続される第２摺動溝ｃが設けられる。以上の構造によれば、摺動棒１２が設けられ、摺動ブロック２２１に第１摺動溝ｂ及び第２摺動溝ｃが設けられることで、摺動ブロック２２１が同時に本体アーム１１及び摺動棒１２に摺動可能に接続される。それによって、一方では、摺動ブロック２２１の摺動中の摩擦力を増大し、第２横アーム２２２の調整の制御性を向上させ、他方では、本体アーム１１及び摺動棒１２を用いて摺動ブロック２２１を同時に支持でき、それによって摺動ブロック２２１の安定性を確保し、さらに第２横アーム２２２の安定性を高める。
【００２４】
好ましい実施例として、取り付けを容易にするために、本実施例の本体アーム１１は中間部で分割して組み合わされる対称構造として構成されてもよい。
【００２５】
第２横アーム２２２の調整精度を高めるために、本実施例の摺動棒１２には、摺動棒１２の軸線方向に沿ってねじ山が設けられ、調整アーム２２は、摺動棒１２に螺合され第１横アーム２１と第２横アーム２２２との間に位置する調整ナット２２３をさらに備える。以上の構造によれば、摺動棒１２に、摺動棒１２に螺合される調整ナット２２３が外嵌され、摺動棒１２に、調整ナット２２３に対応するねじ山が設けられることで、調整ナット２２３を回す（時計回りであってもよく、反時計回りであってもよい）時、調整ナット２２３を摺動棒１２の中心軸線方向に沿って摺動棒１２の両端へ移動させることができる。また、調整ナット２２３上の任意の点が摺動棒１２の周りに進む距離は該点が摺動棒１２の中心軸線方向に沿って進む距離よりも大きい（すなわち、調整ナット２２３は何周も回転するが、摺動棒１２に沿って進む距離が非常に短い）ため、調整ナット２２３の回転数を制御することによって、調整ナット２２３が摺動棒１２に沿って進む距離を制御することができる。それによって、調整ナット２２３が設けられ、調整ナット２２３によって第２横アーム２２２を駆動することで、対応する第２横アーム２２２の調整精度を高めることができる。
【００２６】
第２横アーム２２２の調整精度をさらに高めるために、本実施例の本体装置１０は、本体アーム１１に設けられ且つ本体アーム１１の延伸方向に沿って延在している目盛１３（目盛１３の精度はミリメートルまで精確）をさらに備える。以上の構造によれば、移植対象の筋肉の一端を第１横アーム２１に固定し、他端を第２横アーム２２２に固定し、さらに調整ナット２２３を回して第２横アーム２２２を駆動し、第２横アーム２２２を標準目盛値（すなわち、筋肉の長さを筋肉の安静時の１０５％に延ばす）まで駆動し、その後、固定装置３０を用いて第２横アーム２２２を固定し、最後に、本実施例の筋肉移植用の固定器全体を手術領域にセットし、それによって移植される筋肉の両端を簡単に再構築できる。
【００２７】
摺動ブロック２２１を簡単に固定できるために、一形態として、本実施例の固定装置３０は、摺動ブロック２２１に螺合され且つ摺動ブロック２２１を貫通して摺動棒１２の側壁に当接される調整ねじを備える。
【００２８】
第１横アーム２１及び第２横アーム２２２の作用を確保するために、本実施例の第１横アーム２１は第１挟持板２１１、第２挟持板２１２及び第１ねじりばね２１３を備え、前記第１挟持板２１１は本体アーム１１に固定され且つ垂直方向に沿って延在し、前記第２挟持板２１２は垂直方向に沿って延在し且つ第１挟持板２１１に枢接され（第１挟持板２１１の枢動方向は水平に延在し且つ本体アーム１１の延伸方向に垂直である）、前記第１ねじりばね２１３は第１挟持板２１１と第２挟持板２１２との間に設けられ、一端が第１挟持板２１１に固定され、他端が第２挟持板２１２に固定される。前記第２横アーム２２２は第３挟持板２２２１、第４挟持板２２２２及び第２ねじりばね２２２３を備え、前記第３挟持板２２２１は摺動ブロック２２１に固定され且つ垂直方向に沿って延在し、前記第４挟持板２２２２は垂直方向に沿って延在し且つ第３挟持板２２２１に枢接され（第３挟持板２２２１の枢動方向は水平に延在し且つ本体アーム１１の延伸方向に垂直である）、前記第２ねじりばね２２２３は第３挟持板２２２１と第４挟持板２２２２との間に設けられ、一端が第３挟持板２２２１に固定され、他端が第４挟持板２２２２に固定される。以上の構造によれば、筋肉を固定する時、まず、筋肉の両端をそれぞれ第１横アーム２１及び第２横アーム２２２にセットし、次に第２挟持板２１２が第１挟持板２１１に枢接され、第４挟持板２２２２が第３挟持板２２２１に枢接されるため、それぞれ第２挟持板２１２及び第４挟持板２２２２を回転させ、さらに筋肉の両端をそれぞれ第１挟持板２１１と第２挟持板２１２との間、及び第３挟持板２２２１と第４挟持板２２２２との間にセットし、第２挟持板２１２及び第４挟持板２２２２への拘束を解除し、それぞれ第１ねじりばね２１３及び第２ねじりばね２２２３を用いて第２挟持板２１２及び第４挟持板２２２２を復帰させ、それにより筋肉の両端を挟設して、さらに筋肉を固定する。
【００２９】
好ましい実施例として、第１挟持板２１１及び第３挟持板２２２１は本体アーム１１の同一側に位置し、第２挟持板２１２及び第４挟持板２２２２は本体アーム１１の他方側に位置する。以上の構造によれば、筋肉及び本体アームを平行に維持することが容易になり、さらに筋肉の測定及び調整が容易になる。
【００３０】
十分な操作スペースを確保するために、本実施例の第１挟持板２１１、第４挟持板２２２２の背向側は対向側に向けて凹んだ弧面として設けられ、第２挟持板２１２、第３挟持板２２２１の背向側は対向側に向けて凹んだ弧面として設けられる。以上の構造によれば、第１挟持板２１１、第４挟持板２２２２の背向側は対向側に向けて凹んだ弧面として設けられ、第２挟持板２１２、第３挟持板２２２１の背向側は対向側に向けて凹んだ弧面として設けられることで、筋肉の両端の操作スペースを増大でき、筋肉に対する操作が容易になり、さらに操作誤差を小さくすることができる。
【００３１】
筋肉固定の安定性を高めるために、本実施例の第１挟持板２１１、第２挟持板２１２、第３挟持板２２２１及び第４挟持板２２２２にいくつかのコラム４０が設けられる。以上の構造によれば、第１挟持板２１１、第２挟持板２１２、第３挟持板２２２１及び第４挟持板２２２２にコラム４０が設けられることで、第１挟持板２１１、第２挟持板２１２、第３挟持板２２２１及び第４挟持板２２２２と筋肉との接触面積を増加させ、それによって第１挟持板２１１、第２挟持板２１２、第３挟持板２２２１及び第４挟持板２２２２と筋肉との摩擦力を増大し、さらに筋肉固定の安定性を確保することができる。また、第１挟持板２１１、第２挟持板２１２、第３挟持板２２２１及び第４挟持板２２２２の対向側面が平面として設けられる場合、筋肉損傷を引き起こすが、コラム４０が設けられることで筋肉損傷を軽減させることができる。
【００３２】
好ましい実施例として、いくつかの本体４０が第１挟持板２１１と第２挟持板２１２との対向側面、及び第３挟持板２２２１と第４挟持板２２２２との対向側面に設けられる。
【００３３】
好ましい実施例として、コラム４０は円筒状に設けられる。
【００３４】
以上、本考案の技術案を説明するためのものであり、限定するものではなく、当業者が本考案の技術案に対して行うほかの変更や同等置換は、本考案の技術案の精神及び範囲を逸脱しない限り、本考案の特許請求の範囲に属する。
【符号の説明】
【００３５】
１０、本体装置；１１、本体アーム；１２、摺動棒；１３、目盛；２０、調整装置；２１、第１横アーム；２１１、第１挟持板；２１２、第２挟持板；２１３、第１ねじりばね；２２、調整アーム；２２１、摺動ブロック；２２２、第２横アーム；２２２１、第３挟持板；２２２２、第４挟持板；２２２３、第２ねじりばね；２２３、調整ナット；３０、固定装置；４０、コラム；ａ、収納溝；ｂ、第１摺動溝；ｃ、第２摺動溝
【図１】
0003228195.tif 000003
【図２】
0003228195.tif 000004
【図３】
0003228195.tif 000005
【図４】
0003228195.tif 000006
【図５】
0003228195.tif 000007
【手続補正書】
【提出日】令和2年7月9日(2020.7.9)
【手続補正１】
【補正対象書類名】実用新案登録請求の範囲
【補正対象項目名】全文
【補正方法】変更
【補正の内容】
【実用新案登録請求の範囲】
【請求項１】
本体装置（１０）、調整装置（２０）及び固定装置（３０）を備え、
前記本体装置（１０）は水平方向に沿って直線的に延在している本体アーム（１１）を備え、
前記調整装置（２０）は、前記本体アーム（１１）の一端に固定して設けられ且つ垂直方向に沿って上向きに延在している第１横アーム（２１）と、前記本体アーム（１１）の延在方向に沿って前記本体アーム（１１）に摺動可能に接続される調整アーム（２２）と、を備え、前記第１横アーム（２１）は筋肉の一端を固定し、前記調整アーム（２２）は筋肉の他端を固定し、
前記固定装置（３０）は、前記調整アーム（２２）に設けられ、前記調整アーム（２２）を前記本体アーム（１１）に固定することを特徴とする、
筋肉移植手術用の測定固定器。
【請求項２】
前記調整アーム（２２）は、前記本体アーム（１１）の延在方向に沿って前記本体アーム（１１）に摺動可能に接続される摺動ブロック（２２１）と、垂直方向に沿って前記摺動ブロック（２２１）に固定して設けられる第２横アーム（２２２）と、を備えることを特徴とする、
請求項１に記載の筋肉移植手術用の測定固定器。
【請求項３】
前記本体アーム（１１）内に、前記本体アーム（１１）の延在方向に沿って収納溝（ａ）が開設され、前記本体装置（１０）は、前記収納溝（ａ）内に設けられ、前記収納溝（ａ）の開設方向に沿って延在している摺動棒（１２）をさらに備え、前記摺動棒（１２）の両端が前記本体アーム（１１）に固定され、
前記摺動ブロック（２２１）には、前記本体アーム（１１）に摺動可能に接続される第１摺動溝（ｂ）、及び前記摺動棒（１２）に摺動可能に接続される第２摺動溝（ｃ）が設けられることを特徴とする、
請求項２に記載の筋肉移植手術用の測定固定器。
【請求項４】
前記摺動棒（１２）には、前記摺動棒（１２）の軸線方向に沿ってねじ山が設けられ、前記調整アーム（２２）は、前記摺動棒（１２）に螺合され且つ前記第１横アーム（２１）と前記第２横アーム（２２２）との間に位置する調整ナット（２２３）をさらに備えることを特徴とする、
請求項３に記載の筋肉移植手術用の測定固定器。
【請求項５】
前記本体装置（１０）は、前記本体アーム（１１）に設けられ且つ前記本体アーム（１１）の延伸方向に沿って延在している目盛（１３）をさらに備えることを特徴とする、
請求項３または請求項４に記載の筋肉移植手術用の測定固定器。
【請求項６】
前記固定装置（３０）は、前記摺動ブロック（２２１）に螺合され前記摺動ブロック（２２１）を貫通して前記摺動棒（１２）の側壁に当接される調整ねじを備えることを特徴とする、
請求項５に記載の筋肉移植手術用の測定固定器。
【請求項７】
前記第１横アーム（２１）は、第１挟持板（２１１）、第２挟持板（２１２）及び第１ねじりばね（２１３）を備え、前記第１挟持板（２１１）は前記本体アーム（１１）に固定され且つ垂直方向に沿って延在し、前記第２挟持板（２１２）は垂直方向に沿って延在し且つ前記第１挟持板（２１１）に枢接され、前記第１ねじりばね（２１３）は前記第１挟持板（２１１）と前記第２挟持板（２１２）との間に設けられ、一端が前記第１挟持板（２１１）に固定され、他端が前記第２挟持板（２１２）に固定され、
前記第２横アーム（２２２）は、第３挟持板（２２２１）、第４挟持板（２２２２）及び第２ねじりばね（２２２３）を備え、前記第３挟持板（２２２１）は前記摺動ブロック（２２１）に固定され且つ垂直方向に沿って延在し、前記第４挟持板（２２２２）は垂直方向に沿って延在し且つ前記第３挟持板（２２２１）に枢接され、前記第２ねじりばね（２２２３）は前記第３挟持板（２２２１）と前記第４挟持板（２２２２）との間に設けられ、一端が前記第３挟持板（２２２１）に固定され、他端が前記第４挟持板（２２２２）に固定されることを特徴とする、
請求項６に記載の筋肉移植手術用の測定固定器。
【請求項８】
前記第１挟持板（２１１）、前記第４挟持板（２２２２）の背向側は対向側に向けて凹んだ弧面として設けられ、前記第２挟持板（２１２）、前記第３挟持板（２２２１）の背向側は対向側に向けて凹んだ弧面として設けられることを特徴とする、
請求項７に記載の筋肉移植手術用の測定固定器。
【請求項９】
前記第１挟持板（２１１）、前記第２挟持板（２１２）、前記第３挟持板（２２２１）及び前記第４挟持板（２２２２）にいくつかのコラム（４０）が設けられることを特徴とする、
請求項８に記載の筋肉移植手術用の測定固定器。